(57)【要約】【課題】ホワイトバランス調整を行う場合でも出力映像に対して階調つぶれ又は階調浮きを抑制した表示装置を提供する。【解決手段】テーブルの最小入力値に対応する出力値及び最大入力値に対応する出力値を設定する最小値・最大値設定手段と、第一のガンマカーブ及び第二のガンマカーブを作成するガンマカーブ作成手段と、前記設定された最小入力値に対応する出力値と、最大入力値に対応する出力値と、前記作成された第一のガンマカーブ及び前記第二のガンマカーブとに対応した入力値と出力値の関係を用いて、前記テーブルの各値を更新するテーブル更新手段と、を有する【選択図】図４
2012244265.tif 000002
【特許請求の範囲】
【請求項１】
入力ビデオ信号に対して入力値と出力値の関係を規定するテーブルを使用してガンマ補正を行う表示装置において、
前記テーブルの最小入力値に対応する出力値及び最大入力値に対応する出力値を設定する最小値・最大値設定手段と、
高階調域に対しては、最大入力値から降順に階調つぶれが生じている入力値を判別していき、最後に階調つぶれが生じている入力値から降順に所定数だけ進んだ入力値に対応する出力値と前記設定された最大入力値に対応する出力値とを曲線補間して第一のガンマカーブを作成し、低階調域に対しては、最小入力値から昇順に所定数だけ進んだ入力値に対応する出力値と前記設定された最小入力値に対応する出力値とを曲線補間して第二のガンマカーブを作成するガンマカーブ作成手段と、
前記設定された最小入力値に対応する出力値と、最大入力値に対応する出力値と、前記作成された第一のガンマカーブ及び前記第二のガンマカーブとに対応した入力値と出力値の関係を用いて、前記テーブルの各値を更新するテーブル更新手段と、を有することを特徴とする表示装置。
【請求項２】
前記テーブルは、設定色温度に応じて基準となる基準テーブルと、前記基準テーブルの差分値を記録する差分テーブルとで構成され、
前記テーブル更新手段により更新される前記テーブルは、前記差分テーブルであることを特徴とする請求項１に記載の表示装置。
【請求項３】
前記ガンマカーブ作成手段が、入力値と出力値との比率に基づいて前記曲線補間を行う端点を設定することを特徴とする請求項１又は請求項２のいずれかに記載の表示装置。
【請求項４】
前記ガンマカーブ作成手段が、前記テーブルにより規定されるガンマカーブの傾きに基づいて階調つぶれが生じている入力値を判断することを特徴とする請求項１から請求項３のいずれかに記載の表示装置。
【請求項５】
前記テーブルの内、Ｒ（レッド）及びＢ（ブルー）のみが更新されることを特徴とする請求項１から請求項３のいずれか一項に記載の表示装置。
【発明の詳細な説明】
【技術分野】
【０００１】
本発明は、表示装置に関し、特にガンマ補正を行う表示装置に関する。
【背景技術】
【０００２】
従来、表示装置では、所定のモード（例えば、色温度）の調整を行うためにビデオ信号の入力値に対してガンマ補正を行っている。ガンマ補正を行うことにより、元のビデオ信号に対してコントラストや最小値、最大値が変化し、出力映像が補正される（例えば、特許文献１−５参照）。
【０００３】
また、表示装置では、製品の出荷時においてホワイトバランス調整を行っている。ホワイトバランス調整は、ビデオ信号の色域を調整するためのものであり、例えば、このホワイトバランス調整により入力ビデオ信号により表現される白が基準となる白に近づくよう値の調整が行われる。
【先行技術文献】
【特許文献】
【０００４】
【特許文献１】特開２００５−２２７４３６号公報
【特許文献２】再公表特許Ｗ０２００７／１３６０６０号公報
【特許文献３】特開２００９−３１５５４号公報
【特許文献４】特開２００９−１１１８６８号公報
【特許文献５】特開２００９−１６９０５４号公報
【発明の概要】
【発明が解決しようとする課題】
【０００５】
ホワイトバランス調整は製品個々の特性に依存するため、固体ごとに調整量が異なる。そのため、ホワイトバランス調整後のビデオ信号に対してガンマ補正を行うと、補正後の出力値において色潰れや色浮きが生じる場合があった。
【０００６】
本発明は、上記課題にかんがみてなされたもので、ホワイトバランス調整を行う場合でも出力映像に対して階調つぶれ又は階調浮きを抑制した表示装置の提供を目的とする。
【課題を解決するための手段】
【０００７】
上記課題を解決するために、本発明では、入力ビデオ信号に対して入力値と出力値の関係を規定するテーブルを使用してガンマ補正を行う表示装置において、前記テーブルの最小入力値に対応する出力値及び最大入力値に対応する出力値を設定する最小値・最大値設定手段と、高階調域に対しては、最大入力値から降順に階調つぶれが生じている入力値を判別していき、最後に階調つぶれが生じている入力値から降順に所定入力値だけ進んだ入力値に対応する出力値と前記設定された最大入力値に対応する出力値とを結ぶ線分を曲線補間して第一のガンマカーブを作成し、低階調域に対しては、最小入力値から昇順に所定入力値だけ進んだ入力値に対応する出力値と前記設定された最小入力値に対応する出力値とを結ぶ線分を曲線補間して第二のガンマカーブを作成するガンマカーブ作成手段と、前記設定された最小入力値に対応する出力値と、最大入力値に対応する出力値と、前記作成された第一のガンマカーブ及び前記第二のガンマカーブとに対応した入力値と出力値の関係を用いて、前記テーブルの各値を更新するテーブル更新手段と、を有する構成としてある。
【０００８】
上記のように構成された発明では、最小値・最大値設定手段が、テーブルの最小入力値に対応する出力値及び最大入力値に対応する出力値を設定する。そして、ガンマカーブ作成手段が、新たに設定された入力値と出力値の関係を規定する第一のガンマカーブ及び第二のガンマカーブを作成する。ここで、第一のガンマカーブは、高階調域に対して入力値と出力値との関係を規定するものであり、ガンマカーブ作成手段が、最大入力値から降順に階調つぶれが生じている入力値を判別していき、最後に階調つぶれが生じている入力値から降順に所定数だけ進んだ入力値に対応する出力値と前記設定された最大入力値に対応する出力値とを結ぶ線分を曲線補間して作成される。また、第二のガンマカーブは、低階調域に対して入力値と出力値の関係を規定するものであり、ガンマカーブ作成手段が、最小入力値から昇順に所定数だけ進んだ入力値に対応する出力値と前記設定された最小入力値に対応する出力値とを結ぶ線分を曲線補間して作成される。さらに、テーブル更新手段が、設定された最小入力値に対応する出力値と、最大入力値に対応する出力値と、作成された第一のガンマカーブ及び前記第二のガンマカーブとに対応した入力値と出力値の関係を用いて、テーブルの各値を更新する。
そのため、更新後のテーブルの各値では、階調つぶれ又は階調浮きを抑制したものとなる。
【発明の効果】
【０００９】
以上説明したように、本発明では、ホワイトバランス調整が考慮された後の出力値において、高階調域及び低階調域において階調潰れ及び階調浮きを抑制するものとなり、好適な出力値を得ることが可能となる。
【図面の簡単な説明】
【００１０】
【図１】表示装置１０の構成を説明するためのブロック構成図である。
【図２】この表示装置１０において実行される処理を説明するフローチャートである。
【図３】テーブルを説明する図である。
【図４】図２のステップＳ９において実行される差分テーブルの更新処理を説明するためのフローチャートである。
【図５】ステップＳ１３において実行される処理を説明するフローチャートである。
【図６】高階調域の階調潰れを抑制したガンマカーブの算出を説明するための図である。
【図７】ステップＳ１４において実行される処理を説明するフローチャートである。
【図８】新たなガンマカーブの作成を説明する図である。
【図９】第２の実施形態を説明するための図である。
【発明を実施するための形態】
【００１１】
以下、下記の順序に従って本発明の実施形態を説明する。
１．第１の実施形態：
２．第２の実施形態：
３．その他の実施形態：
【００１２】
１．第１の実施形態： 
以下、図を参照して、この発明に係る表示装置を具体化した第１の実施の形態について説明する。図１は、表示装置１０の構成を説明するためのブロック構成図である。また、図２は、この表示装置１０において実行される処理を説明するフローチャートである。そして、図３は、テーブルを説明する図である。なお、図２に示す処理は工場出荷時において実行される処理である。
【００１３】
本実施形態に係る表示装置１０は、アクティブマトリクス型の液晶表示装置により実現され、入力処理回路１１と、信号処理回路１２と、タイミングコントローラー１３と、表示パネル１４と、制御部１５とを備えて構成されている。入力処理回路１１は、出力側で信号処理回路１２と接続され、表示装置１０に入力したビデオ信号を信号処理回路１２に出力する。また、信号処理回路１２は、出力側でタイミングコントローラー１３と接続され、所定の信号処理（明るさ補正、ホワイトバランス調整、ガンマ補正等）を行ったビデオ信号をタイミングコントローラー１３に出力する。なお、信号処理回路１２の詳細な処理は後述する。そして、タイミングコントローラー１３は、出力側でＬＶＤＳ（Low Voltage Differential Signaling）ケーブル１６を通じて表示パネル１４と接続され、ビデオ信号を所定クロックで表示パネル１４に出力する。
【００１４】
表示パネル１４は、ビデオ信号をアナログ電圧に変換するデジタル・アナログ変換回路を備えており、変換後のアナログ信号により各画素を駆動する。本実施形態では、表示パネル１４には、信号処理回路１２から８ビット（２５６階調）のビデオ信号が入力され、デジタル・アナログ変換回路に２５６階調に応じた電圧を備えるアナログ信号が生成される。
【００１５】
さらに、上記した各部は制御部１５とバスを通して接続されており、制御部１５からの統合的な制御を受ける。制御部１５は、例えばマイクロコンピューターにより実現され、図示しないＲＯＭ領域に所定のプログラムやデーターを記録している。
【００１６】
信号処理回路１２は、画質補正部１２ａと、ホワイトバランス調整部１２ｂと、ガンマ補正部１２ｃと、ビット数変換部１２ｄと、記録部１２ｅを備えて構成され、入力ビデオ信号に対して図２に示す各処理を施す。特に、表示装置１０は図示しない測色機と接続され、測色機による画面の測色結果に応じたホワイトバランス調整を行う。
【００１７】
例えば、表示装置１０の工場出荷時において検査映像に応じたビデオ信号が信号処理回路１２に入力すると、画質補正部１２ａはこのビデオ信号に対して明るさ補正や、コントラスト補正を施す（ステップＳ１）。コントラスト補正では、ビデオ信号に対して所定のゲイン量が設定される。
【００１８】
また、ホワイトバランス調整部１２ｂは、ビデオ信号に対する入力値と補正後の出力値との関係を記録するテーブルに対してホワイトバランス調整を施す（ステップＳ２）。ここで、ホワイトバランス調整とは、ビデオ信号により表現される映像の実際の色域を、基準となる映像の色域に近づけるために行われ、例えば、ビデオ信号により表現される白色を、基準となる白色に近づけるようビデオ信号の値を補正する。即ち、白色の表現は表示装置１０の固体毎に異なるため、ホワイトバランス調整部１２ｂは、テーブル（後記する補正テーブル）に対して表示装置１０毎に個別の補正を行う。
【００１９】
ここで、記録部１２ｅに記録されるテーブルには、ビデオ信号の入力値と出力値の関係が記録されている。テーブルは、Ｒ（レッド）、Ｇ（グリーン）、Ｂ（ブルー）の各入力値と、各入力値に対応したＲ、Ｇ、Ｂの各出力値を記録している。さらに、後述するように、色温度に応じた異なる３つのテーブル（ノーマルモード、クールモード、ウォームモード）を更に備えている（図３）。
【００２０】
本実施形態では、記録部１２ｅに、ノーマルモードにおける入力値と出力値との関係を記録する補正テーブルと、クールモード及びウォームモードにおける入力値と出力値との関係を記録する２つの差分テーブルとを記録している。ここで、クールモードとは補正後の出力値の色温度がノーマルモードに比べて高くなるモードであり、表示される映像が青みがかった色となる。また、ウォームモードとは、補正後の出力値の色温度がノーマルモードに比べて低くなるモードであり、表示される映像が赤みがかった色となる。そして、ノーマルモードとは、基準となる色温度となるモードである。
【００２１】
補正テーブルは、ＲＧＢ各色のすべての値に対応する出力値（補正後の値）を記録している。本実施形態では、補正テーブルは、１０ビットのビデオ信号の値（１０２４階調）を、１２ビットの値（４０９６の階調）のいずれかに変換する。そのため、補正テーブルには１０ビットの入力値に対して１２ビットのいずれかの値が対応付けて記録されている。
【００２２】
差分テーブルは、入力値と出力値との関係の内、補正テーブルとの差分値が記録されている。即ち、差分テーブルには、補正テーブルとの比較において入力値と出力値の関係が異なる値のみが記録されている。
【００２３】
そして、ガンマ補正部１２ｃはビデオ信号に対してガンマ補正を行う。ガンマ補正は、ビデオ信号の入力値を、表示パネル１４等の表示特性に応じた出力値に変換するものであり、記録部１２ｅに記録された各テーブルを用いて実行される。更に、ガンマ補正部１２ｃは、モード（ノーマルモード、クールモード、ウォームモード）に応じて色温度特性が異なるテーブルを使い分ける。
【００２４】
ガンマ補正部１２ｃがビデオ信号に対してノーマルモードでガンマ補正を行う場合（ステップＳ３：ＹＥＳ）、ガンマ補正部１２ｃは、ビデオ信号の各値に対応する補正テーブルの出力値を補正後の値として出力する（ステップＳ４）。一方、ガンマ補正部１２ｃがビデオ信号に対してクールモード又はウォームモードでガンマ補正を行う場合（ステップＳ３：ＮＯ）、ガンマ補正部１２ｃは、補正テーブルの各値に差分テーブルの各値を加算した補正値を用いて、ビデオ信号の値に対応した補正値後の値を出力する（ステップＳ５）。
【００２５】
そして、ガンマ補正部１２ｃにより補正されたビデオ信号はビット数変換部１２ｄにより１２ビットから８ビットに変換される（ステップＳ６）。さらに、ビット数変換部１２ｄによりタイミングコントローラー１３に出力される（ステップＳ７）。タイミングコントローラー１３はビデオ信号に含まれる同期信号をもとに、表示パネル１４に所定タイミングでビデオ信号を出力していく。
【００２６】
そして、表示パネル１４から出力される映像のホワイトバランスが規定値以下である場合は（ステップＳ８：ＮＯ）、再度ステップＳ１に戻りテーブルの調整が行われる。なお、表示パネル１４から出力される映像のホワイトバランスの判断は、図示しない測色機により測色された測色結果が用いられる。
【００２７】
以上のように構成された表示装置１０において、ホワイトバランス調整は固体毎に補正テーブルに対して補正が行われるため、ある固体によっては補正後の補正テーブルを用いることで高階調域又は低階調域において色潰れや色浮きが発生する場合がある。特に、クールモード及びウォームモードにおいて、ホワイトバランス調整が施された補正テーブルの値に差分テーブルの値を加算して出力値を設定するため、色潰れや色浮きを低減するために差分テーブル側での調整が難しい場合がある。そのため、ホワイトバランス調整後の差分テーブルを更新する処理を組み込むことで（ステップＳ９）、出力映像の階調値の色潰れや色浮きを低減している。
【００２８】
図４は、図２のステップＳ９において実行される差分テーブルの更新処理を説明するためのフローチャートである。図４に示す差分テーブルの更新処理では、特に高階調域と低階調域における階調潰れ又は低階調域における階調浮きを抑制した差分テーブルが再構築される。また、図４に示す処理は、制御部１５により実行され、更新された差分テーブルは記録部１２ｅに記録される。以下、クールモードにおける差分テーブルを更新する実例をもとに、差分テーブルの更新処理を説明する。
【００２９】
本実施形態では、クールモードに対応する差分テーブルに対してＲ（レッド）及びＢ（ブルー）の値にのみ以下の処理が適用される。これは、Ｇ（グリーン）に対して更新を行うと、出力値における輝度が大きく変化し、調整したホワイトバランスが大きく崩れてしてまうからである。
【００３０】
ステップＳ１１では、制御部１５は、補正テーブルの各値に差分テーブルの各値を加算して、クールモードにおける入力値と出力値の関係を取得する。即ち、クールモードにおける全ての入力値に対応する出力値の関係が取得される。
【００３１】
ステップＳ１２では、制御部１５は、最小入力値ＩＮＰＵＴｍｉｎに対応する出力値と、最大入力値ＩＮＰＵＴｍａｘに対応する出力値とをそれぞれ設定する。本実施形態では、最小入力値ＩＮＰＵＴｍｉｎは「０」であり、この最小入力値ＩＮＰＵＴｍｉｎに対応する出力値を「０」とする。また、本実施形態では、最大入力値は「１０２３」であり、この最大入力値ＩＮＰＵＴｍａｘに対応する出力値を「４０９５」とする。なお、各出力値の値は、これ以外にも、パネル特性等に応じて適宜設定されるものである。上記ステップＳ１２の処理により、本発明に係る最小値・最大値設定手段が実現される。
【００３２】
ステップＳ１３では、制御部１５は、高階調域に対して階調潰れを抑制した補正後のガンマカーブ（第一のガンマカーブ）を算出する。ここで、ガンマカーブを作成するとは、ある区分において入力値と出力値の関係を規定する関数を作成するという意味である。図５は、ステップＳ１３において実行される処理を説明するフローチャートである。また、図６は、高階調域の階調潰れを抑制したガンマカーブの算出を説明するための図である。
【００３３】
ステップＳ１３１では、制御部１５は、高階調域において階調潰れが生じている箇所を検出する。本実施形態では、制御部１５は、最大入力値ＩＮＰＵＴｍａｘから降順に、ガンマカーブの傾きを取得し、傾きが０でなくなる最初の入力値ＩＮＰＵＴ＿ｓ０（＿ｓｎは傾きがｎとなる最初の入力値を表す識別子である。）までの区分（図６に示す区分Ａ）を階調潰れが生じている区分とする（図６）。
【００３４】
ステップＳ１３２では、制御部１５は、ガンマカーブの傾きが０でなくなる入力値ＩＮＰＵＴ＿ｓ０から降順に、ガンマカーブの傾きを取得し、ガンマカーブの傾きがｎとなる入力値ＩＮＰＵＴ＿ｓｎを取得する。本実施形態では、ガンマカーブの傾きがｎ＝１となる場合の入力値ＩＮＰＵＴ＿ｓ１を取得する。
【００３５】
ステップＳ１３３では、制御部１５は、ステップＳ１２で設定された最大入力値ＩＮＰＵＴｍａｘに対応する出力値とステップＳ１３２で取得した入力値ＩＮＰＵＴ＿ｓｎに対応した出力値とを端点として、各端点を曲線補間して新たなガンマカーブを算出する。本実施形態では、ステップＳ１３１において最大入力値ＩＮＰＵＴｍａｘに対応する出力値は「４０９５」であるため、この値と入力値ＩＮＰＵＴ＿ｓ１に対応する出力値とを端点とする曲線補間により新たなガンマカーブを規定する関数を算出する。なお、曲線補間としては、周知のものを用いればよく、例えば、３次補間であるとかスプライン補間を用いればよい。
【００３６】
図６Ｂに示すように、新たに作成されるガンマカーブは、出力値４０９５と、入力値ＩＮＰＵＴ＿ｓ１に対応した出力値とを結ぶ上凸曲線により形成され、区分Ａにおける階調潰れが解消されている。また、新たに作成されたガンマカーブでは、入力値ＩＮＰＵＴ＿ｓ１の前後で出力値が連続するため、この出力値により再現される映像において階調性の破綻を生じさせない。
【００３７】
図４に戻り制御部１５は、低階調域に対して階調潰れ又は階調浮を抑制するための新たなガンマカーブ関数を算出する。図７は、ステップＳ１４において実行される処理を説明するフローチャートである。また、図８は、新たなガンマカーブの作成を説明する図である。なお、図８Ａは、低階調域において階調潰れが生じている場合の新たなガンマカーブの作成を説明する図である。また、図８Ｂは、低階調域において階調浮きが生じている場合の新たなカンマカーブの作成を説明する図である。
【００３８】
ステップＳ１４１では、制御部１５は、最小入力値ＩＮＰＵＴｍｉｎから昇順に、対応するガンマカーブの傾きを取得し、ガンマカーブの傾きがｎとなる入力値ＩＮＰＵＴ＿ｓｎを取得する。本実施形態では、ガンマカーブの傾きが２となる最初の入力値ＩＮＰＵＴ＿ｓ２を取得する。
【００３９】
ステップＳ１４２では、制御部１５は、ステップＳ１２において設定された最小入力値ＩＮＰＵＴｍｉｎに対応する出力値と、ステップＳ１４１で取得した入力値ＩＮＰＵＴ＿ｓｎに対応した出力値とを端点として、各端点の間を曲線補間して新たなガンマカーブ関数（第二のガンマカーブ）を算出する。本実施形態では、最小入力値ＩＮＰＵＴｍｉｎに対応する出力値は「０」であるため、この値と入力値ＩＮＰＵＴ＿ｓ２に対応する出力値とを曲線補間して新たなガンマカーブに対応した関数を算出する。
【００４０】
図８Ａに示すように、階調潰れが生じている場合、低階調側の入力値の所定数において出力値が０となっている。一方、新たに作成されたガンマカーブでは、最小入力値ＩＮＰＵＴｍｉｎに対応した出力値と、入力値ＩＮＰＵＴ＿ｓ２に対応した出力値とを結ぶ上凸曲線により形成され、階調浮きが解消されている。また、新たに作成されたガンマカーブでは、入力値ＩＮＰＵＴ＿ｓ２の前後で出力値が連続するため、この出力値により再現される映像において階調性の破綻を生じさせない。
【００４１】
また、図８Ｂに示すように、階調浮きが生じている場合、最小入力値ＩＮＰＵＴｍｉｎに対応する出力値の値が「０」以上の値となっている。一方、新たに作成されたガンマカーブでは、最小入力値ＩＮＰＵＴｍｉｎに対応する出力値が「０」から始まる上凸曲線により形成され、階調潰れが解消される。また、新たに作成されたガンマカーブでは、入力値ＩＮＰＵＴ＿ｓ１の前後で出力値が連続するため、この出力値により再現される映像において階調性の破綻を生じさせない。以上、ステップＳ１３、１４の処理により本発明に係るガンマカーブ作成手段が実現される。
【００４２】
そして、ステップＳ１５において、制御部１５は、各ステップをもとに取得された最小入力値ＩＮＰＵＴｍａｘ及び最大入力値ＩＮＰＵＴｍａｘに対応した各出力値、並びに新たに作成されたガンマカーブに対応する関数をもとに、クールモードにおける新たな入力値と出力値の関係を全ての入力値において規定する。即ち、本実施形態では、制御部１５は、クールモードにおける１０ビット（１０２４階調分）の入力値に対して、１２ビット（４０９６階調分）の新たな出力値が規定される。
【００４３】
さらに、ステップ１６において、制御部１５は新たに規定されたクールモードにおける入力値と出力値の関係と、補正テーブルの入力値と出力値との関係を比較して、差分テーブルを再構築する。即ち、制御部１５は、ステップＳ１５で作成された新たな関係と補正テーブルの各出力値と補正後の出力値との差分を取得し、この差分をもとに差分テーブルを更新する。以上、ステップＳ１５、１６の処理により本発明に係るテーブル更新手段が実現される。
【００４４】
そのため、ガンマ補正部１２ｃが更新後の差分テーブルを用いることで、ホワイトバランス調整部１２ｂによるホワイトバランス調整が考慮された後の出力値において、高階調域及び低階調域において階調潰れ及び階調浮きを抑制するものとなるため、好適な出力値を得ることが可能となる。
【００４５】
２．第２の実施形態：
新たなガンマカーブを作成する際に、曲線補間を行う端点の設定方法を、階調潰れが生じている区分数（区分長さ）を元に設定してもよい。図９は、第２の実施形態を説明するための図である。また、図９Ａは、第２の実施形態において、ステップＳ１３で実行される処理を説明するフローチャートである。そして、図９Ｂは、第２の実施形態において、ステップＳ１３で実行される処理を説明する図である。
【００４６】
ステップＳ１１３１では、制御部１５は、高階調域において階調潰れが生じている区分の長さを検出する。本実施形態では、制御部１５は、最大入力値ＩＮＰＵＴｍａｘから降順に、ガンマカーブの傾きを取得し、最大入力値ＩＮＰＵＴｍａｘ（１０２３）から準に傾きが０でなくなる入力値ＩＮＰＵＴ＿ｓ０までの区分を階調潰れが生じている区分とし、この区分の長さＬを検出する。ここで、区分の長さは入力値の数によって規定され、例えば、最大入力値ＩＮＰＵＴｍａｘを含めて降順に３つの入力値において階調潰れが生じている場合は、区分の長さＬは２（３−１）となる。
【００４７】
ステップＳ１１３２では、制御部１５は、階調潰れが生じている区分の長さＬの倍数分だけ降順に進んだ入力値に対応する出力値を曲線補間における端点とする。即ち、階調潰れが生じている区分がＬ区分（入力値のＬ−１個分）である場合は、最大入力値ＩＮＰＵＴｍａｘからＬ×Ｎ倍だけ降順に進んだ入力値ＩＮＰＵＴ＿ｒｎに対応する出力値を曲線補間の端点とする。
【００４８】
ステップＳ１１３３では、制御部１５は、ステップＳ１２で設定された最大入力値ＩＮＰＵＴｍａｘに対応する出力値とステップＳ１１３２で取得した入力値ＩＮＰＵＴ＿ｒｎに対応した出力値とを曲線補間して新たなガンマカーブ関数を算出する。なお、説明は省略するが、低階調域においても、階調潰れが生じている区分の長さに応じて曲線補間の端点を検出すればよい。
【００４９】
以上説明した第２の実施形態に係る構成では、第１の実施形態に係る効果に加えて、ガンマカーブの傾き変化が少ない領域においても適切な端点を探索することができる。即ち、第２の実施形態では、階調潰れが生じている区分の長さを用いて端点を探索することで、端点の探索に傾きを考慮する必要がなくなり、傾きの変化量が少ないガンマカーブの領域においても端点を設定することが可能となる。
【００５０】
３．その他の実施形態：
本発明は、様々な実施形態が存在する。例えば、色温度に応じて補正テーブルを複数持つことは一例であり、これ以外のものであってもよい。
また、ガンマカーブの作成において端点を探索する傾きを１又は２とすることは一例であり、これ以外の傾きを用いるものであってもよい。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５２】
１０…表示装置、１１…入力処理回路、１２…信号処理回路、１２ａ…画質補正部、１２ｂ…ホワイトバランス調整部、１２ｃ…ガンマ補正部、１２ｄ…ビット数変換部、１２ｅ…記録部、１３…タイミングコントローラー、１４…表示パネル、１５…制御部、１６…ＬＶＤＳケーブル、
【図１】
2012244265.tif 000003
【図２】
2012244265.tif 000004
【図３】
2012244265.tif 000005
【図４】
2012244265.tif 000006
【図５】
2012244265.tif 000007
【図６】
2012244265.tif 000008
【図７】
2012244265.tif 000009
【図８】
2012244265.tif 000010
【図９】
2012244265.tif 000011